(57)【要約】  本発明は、安定した放臭剤系、かかる系を含む組成物、及びかかる系及び組成物を製造及び使用するためのプロセスに関する。【特許請求の範囲】
【請求項１】
Ａ．）系Ａ、系Ｂ、及びこれらの混合物から成る群から選択される放臭剤系であって、
ａ．）系Ａが、
（ｉ）有機触媒及び活性酸素源、酸素移動剤、又はこれらの混合物と、
（ｉｉ）電子不足の放臭剤であって、好ましくは０〜０．４１未満、より好ましくは０．３８未満、最も好ましくは０．３５未満のＥＦＤを有するか、２以上のＤＢＣを有する二重結合を有しないか、又はそれらの組み合わせを有するものと、
（ｉｉｉ）少なくとも一つの補助成分と
を含み、
ｂ．）系Ｂが、
（ｉ）界面活性剤と、
（ｉｉ）親水性有機触媒及び活性酸素源であって、好ましくは前記親水性有機触媒及び親水性酸素移動剤が０未満、より好ましくは０．５未満のｌｏｇＰｏ／ｗを有するもの、親水性酸素移動剤、又はそれらの組み合わせと、
（ｉｉｉ）疎水性で電子が豊富な放臭剤であって、好ましくは０．４１以上、より好ましくは０．４３以上で２未満、最も好ましくはさらに０．４５以上で２未満のＥＦＤ、並びに０．５以上、好ましくは１以上のｌｏｇＰｏ／ｗを有するか、２以上のＤＢＣ及び０．５以上、より好ましくは１以上のｌｏｇＰｏ／ｗを有する少なくとも一つの二重結合を有するか、又はこれらの組み合わせを有するものと
を含み、
但し、前記組成物が系Ａと系Ｂの混合物を含む場合には、系Ａの前記有機触媒、酸素移動剤、又はこれらの組み合わせは親水性である、放臭剤系と、
Ｂ．）１つ以上の追加の補助成分を含む該組成物の任意の残部と
を含む組成物。
【請求項２】
系Ａを含む、請求項１に記載の組成物。
【請求項３】
系Ｂを含む、請求項１に記載の組成物。
【請求項４】
０．０００２重量％〜５重量％、好ましくは０．００１重量％〜１．５重量％の有機触媒、酸素移動剤、又はこれらの混合物を含む、請求項１〜３のいずれか一項に記載の組成物。
【請求項５】
電子不足の放臭剤の、有機触媒、酸素移動剤、又はこれらの混合物に対する割合が、２０００：１〜１：１、好ましくは８００：１〜２：１、より好ましくは２５０：１〜５：１である、請求項１〜４のいずれか一項に記載の組成物。
【請求項６】
０．３８未満のＥＦＤを有する電子不足の放臭剤を含む、請求項１〜５のいずれか一項に記載の組成物。
【請求項７】
０．０００２重量％〜５重量％の、親水性の有機触媒、親水性の酸素移動剤、又はこれらの混合物、及び少なくとも０．１重量％の界面活性剤を含む、請求項１〜６のいずれか一項に記載の組成物。
【請求項８】
電子が豊富な放臭剤の、親水性の有機触媒、親水性の酸素移動剤、又はこれらの混合物、に対する割合が、２０００：１〜１：１、好ましくは８００：１〜２：１、さらに好ましくは２５０：１〜５：１である、請求項１〜７のいずれか一項に記載の組成物。
【請求項９】
放臭剤群１から選択される電子不足の放臭剤及び／又は放臭剤群２から選択される電子の豊富な放臭剤を含む、請求項１〜８のいずれか一項に記載の組成物。
【請求項１０】
表面又は布地の洗浄方法であって、前記表面又は布地を請求項１〜９のいずれか一項に記載の洗浄組成物と接触させ、続いて所望により前記表面又は布地を洗う及び／又はすすぐ工程を含む洗浄方法。
【発明の詳細な説明】
【技術分野】
【０００１】
本発明は安定した放臭剤系、かかる系を含む組成物、及びかかる系及び組成物を製造及び使用するプロセスに関する。
【背景技術】
【０００２】
酸素漂白剤、例えば、過酸化水素は、典型的には、衣類及び種々の表面から染み及び汚れを除去するのを容易にするために使用される。残念ながら、このような剤はきわめて温度率（temperature rate）依存性が高い。結果として、このような試剤がより低い温度の溶液中で使用される場合、このような溶液の漂白作用は顕著に減少する。
【発明の開示】
【発明が解決しようとする課題】
【０００３】
前述の性能上の問題を解決するために、この業界では「漂白活性化剤」として知られる部類の材料が開発された。しかし、そのような材料は４０℃より低い溶液温度ではその効果が急速に失われることから、３、４−ジヒドロ−２−［２−（スルホオキシ）デシル］イソキノリミウム、分子内塩のような新しい有機触媒が開発された。概して、かかる現行分野の触媒は水が低温の条件において有効である一方、放臭剤に対する有害な影響を有しえる。安定した芳香剤及び有機触媒を含む洗浄組成物及び／又はトリートメント組成物が望ましいので、かかる組成物を製造し、選択する系及び方法の提供が必要とされている。
【課題を解決するための手段】
【０００４】
本発明は安定放臭剤系、かかる系を含む組成物、及びかかる系及び組成物の製造及び使用方法に関する。
【発明を実施するための最良の形態】
【０００５】
定義
本明細書で使用する時、用語「洗浄組成物」は、他に指示がない限り、顆粒又は粉末形態の汎用又は「重質」洗浄剤、特に洗濯洗剤、液体、ゲル又はペースト形態の汎用洗浄剤、特にいわゆる重質液体型、液体の高級布地用洗剤、手洗い食器洗浄剤、又は軽質食器洗浄剤、特に高起泡型のもの、種々の錠剤、顆粒、液体及び家庭及び企業での使用のためのリンス補助型を含む機械食器洗浄剤、抗菌ハンドウォッシュ型、洗濯バー、うがい薬、義歯クリーナー、車又はカーペット用シャンプー、浴室クリーナーを含む液体洗浄剤及び消毒剤、ヘアシャンプー及びヘアリンス、シャワージェル及び泡バス及び金属クリーナー、並びに、漂白添加物質及び「染み用スティック」、又は前処理型のような洗浄補助剤を含む。
【０００６】
本明細書で使用する「独立して、〜からなる群から選択される」という言い回しは、引用されるマルクーシュ群から選択される部分又は要素が同じか、異なるか、又は任意の要素の混合物であってもよいことを意味する。
【０００７】
本明細書で使用するとき、「芳香剤」及び「放臭剤」と言う用語は同義である。.
本明細書で使用する時、冠詞「ａ」及び「ａｎ」は、仕様書又は請求項で使用される時には、特許請求され又は記載される１つ以上のものを意味するものと理解される。
【０００８】
本出願の試験方法の項で開示する試験方法を用いて、本出願人らの発明のパラメータの各値を求めなければならない。
【０００９】
本明細書の目的のため、「親水性の有機触媒」は、約０未満、又はさらには約−０．５未満のｌｏｇＰｏ／ｗを有することを意味する。
【００１０】
本明細書の目的のため、「疎水性の有機触媒」は、０．５以上、又はさらには１以上のｌｏｇＰｏ／ｗを有することを意味する。
【００１１】
本明細書の目的のため、酸素移動剤は、酸素移動剤が抽出される親有機触媒（parent organic catalyst）の指定に基づいて親水性又は疎水性であると指定され、後者は、「親水性及び疎水性の有機触媒」の定義において開示されたｌｏｇＰｏ／ｗの基準んに基づいて決定される。
【００１２】
特に記載のない限り、構成成分又は組成物の濃度は全て、前記構成成分又は組成物の活性レベルに関するものであり、市販の供給源類に存在し得る不純物類、例えば残留溶媒類又は副生成物類は除外される。
【００１３】
百分率及び比率はすべて、特に指示がない限り、重量で計算される。百分率及び比率はすべて、特に指示がない限り、組成物全体を基準にして計算される。
【００１４】
本明細書を通じて与えられるあらゆる最大数の限定は、あらゆるより小さい数値の限定を、あたかもそのようなより小さい数値の限定がここに明確に書かれているかのように含むと理解されるべきである。本明細書全体を通じて記載されるあらゆる最小数値限定は、それよりも大きいあらゆる数値限定を、あたかもこうしたそれよりも大きい数値限定が本明細書に明確に記載されているかのように含む。本明細書全体を通じて記載されるあらゆる数値範囲は、こうしたより広い数値範囲内に入る、それよりも狭いあらゆる数値範囲を、あたかもこうしたそれよりも狭い数値範囲が全て本明細書に明確に記載されているかのように含む。
【００１５】
引用する全ての文書は、関連部分において本明細書に参考として組み込まれるが、いかなる文書の引用も、それが本発明に関して先行技術であるということの承認として解釈すべきではない。
【００１６】
安定した放臭剤系を含む洗浄組成物
本発明の一つの態様は、系Ａ、系Ｂ、及びこれらの混合物から成る群から選択される放臭剤系を含む組成物に関し、系Ａは、有機触媒及び活性酸素源、酸素移動剤、又はこれらの混合物の供給源；電子不足の放臭剤、及び少なくとも一つの補助成分を含み、系Ｂは、界面活性剤、親水性有機触媒及び活性酸素源、親水性酸素移動剤、又は混合物、疎水性で電子が豊富な放臭剤を含む。但し、前記組成物が系Ａと系Ｂの混合物を含む場合には、系Ａの有機触媒、酸素移動剤、又はこれらの混合物は親水性である。
【００１７】
本発明の一態様において、前記組成物は系Ａを含む。
【００１８】
本発明の別の態様において、前記組成物は系Ｂを含む。
【００１９】
前記組成物が系Ａを含む場合、前記組成物の電子不足の放臭剤の有機触媒、酸素移動剤、又はこれらの混合物に対する割合は、約２０００：１〜約１：１、約８００：１〜約２：１、又はさらには約２５０：１〜約５：１であってもよい。前記組成物が系Ａを含む場合、電子不足の放臭剤はＥＦＤと略される求電子境界密度（Electrophilic Frontier Density）は、約０〜約０．４１未満、又はさらには約０．３８未満、又はさらには約０．３５未満であってもよく、２以上のＤＢＣを有する二重結合を有しないか、又はそれらの組み合わせであってもよい。好適な電子不足の放臭剤には、１，１’−オキシビス−２−プロパノール、１，４−シクロヘキサンジカルボン酸、ジエチルエステル、（エトキシメトキシ）シクロドデカン、１，３−ノナンジオール、モノアセテート、（３−メチルブトキシ）酢酸、２−プロペニルエステル、β−メチルシクロドデカンエタノール、２−メチル−３−［（１，７，７−トリメチルビシクロ［２．２．１］ヘプト２−イル）オキシ］−１−プロパノール、オキサシクロヘキサデカン−２−オン、α−メチル−ベンゼンメタノールアセテート、トランス−３−エトキシ−１，１，５−トリメチルシクロヘキサン、４−（１，１−ジメチルエチル）シクロヘキサノールアセテート、４−（１，１−ジメチルエチル）シクロヘキサノールアセテートドデカハイドロ−３ａ，６，６，９ａ−テトラメチルナフト［２，１−ｂ］フラン、β−メチルベンゼンプロパナル、β−メチル−３−（１−メチルエチル）ベンゼンプロパナル、４−フェニル−２−ブタノン、２−メチルブタン酸、エチルエステル、ベンズアルデヒド、２−メチルブタン酸、１−メチルエチルエステル、ジヒドロ−ペンチル−２（３Ｈ）フラノン、（２Ｅ）−１−（２，６，６−トリメチル−２−シクロヘキサン−１−イル）−２−ブテン−１−オン、ドデカナール、ウンデカナール、２−エチル−α、α−ジメチルベンゼンプロパナル、デカナール、α、α−ジメチルベンゼンエタノールアセテート、２−（フェニルメチレン）オクタナール、２−［［３−［４−（１，１−ジメチルエチル）フェニル］−２−メチルプロピリデン］アミノ］安息香酸、メチルエステル、１−（２，６，６−トリメチルー３−シクロヘキサン−１−イル）−２−ブテン−−オン、２−ペンチルシクロペンタノン、シクロペンチル酢酸３-オキソ−２−ペンチル、メチルエステル、４−ヒドロキシー３−メトキシベンズアルデヒド、３−エトキシ−４−ヒドロキシベンズアルデヒド、２−ヘプチルシクロペンタノン、１−（４−メチルフェニル）エタノン、（３Ｅ）−４−（２，６，６−トリメチル−１−シクロヘキセン−１−イル）−３−ブテン−２−オン、（３Ｅ）−４−（２，６，６−トリメチル−２−シクロヘキセン−１−イル）−３−ブテン−２−オン、ベンゼンエタノール、２Ｈ−１−ベンゾピラン−２−オン、２−メトキシベンズアルデヒド、１０−ウンデセナール、プロパン酸、フェニルメチルエステル、β−メチルベンゼンペンタノール、１，１−ジエトキシー３，７−ジメチル−２，６−オクタジエン、α、α−ジメチルベンゼンエタノール、（２Ｅ）−１−（２，６，６−トリメチル−１−シクロヘキサン−１−イル）−２−ブテン−１−オン、���酸、フェニルメチルエステル、シクロヘキサンプロパン酸、２−プロペニルエステル、ヘキサン酸、２−プロペニルエステル、１，２−ジメトキシ−４−（２−プロペニル）ベンゼン、１，５−ジメチルービシクロ［３．２．１］オクタン−８−オンオキシム、４−（４−ヒドロキシー４−メチルペンチル）−３−シクロヘキサン−１−カルボキシアルデヒド、３−ブテン−２−オル、２−［［［２，４（又は３，５）−ジメチルー３−シクロヘキサン−１−イル］メチレン］アミノ］安息香酸、メチルエステル、８−シクロヘキサデセン−１−オン、メチルイオノン、２，６−ジメチル−７−オクテン−‐２−オル、２−メトキシ−４−（２−プロペニル）フェノール、（２Ｅ）−３，７−ジメチルー２，６−オクタジエ−１−オル、２−ヒドロキシ−安息香酸（３Ｚ）−３−ヘキセニルエステル、２−トリデセンエニトリル、４−（２，２−ジメチル−６−メチレンシクロヘキシル）−３−メチルー３−ブテン−２−オン、テトラヒドロ−メチル−２−（２−メチル−１−プロペニル）−２Ｈ−ピラン、酢酸、（２−メチルブトキシ）−，２−プロペニルエステル、安息香酸、２−ヒドロキシー，２−メチルブチルエステル、２−ブテン−１−オン、１−（２，６，６−トリメチル−１−シクロヘキサン−１−イル）−，（Ｚ）−、シクロペンタンカルボン酸、２−へキシル−３−オキソ−，メチルエステル、ベンゼンプロパナール，４−エチル−．α．，．α．−ジメチル−、２−シクロヘキサン−１−カルボキシアルデヒド、３−（４−ヒドロキシ−４−メチルペンチル）−、エタノン，１−（２，３，４，７，８，８ａ−ヘキサヒドロ−３，６，８，８−テトラメチル−１Ｈ−３ａ，７−メタノアズレン−５−イル）−，［３Ｒ−（３．α．，３ａ．β．，７．β．，８ａα．）］−、ウンデカナール，２−メチル−２Ｈ−ピラン−２−オン，６−ブチルテトラヒドロ−、ベンゼンプロパナル，４−（１，１−ジメチルエチル）−．α．−メチル−、２（３Ｈ）−フラノン，５−ヘプチルジヒドロ−、安息香酸，２−［（７−ヒドロキシ−３，７−ジメチルオクチルジエン）アミノ］−，メチル、安息香酸，２−ヒドロキシ−，フェニルメチルエステル、ナフタレン，２−メトキシ−、２−シクロペンテン−１−オン，２−ヘキシル−、２（３Ｈ）−フラノン、５−ヘキシルジヒドロ−、オキシランカルボン酸、３−メチルー３−フェニルー、エチルエステル、２−オキサビシクロ［２．２．２］オクタン、１，３，３−トリメチル−、ベンゼンペンタノール、．γ．−メチル−、３−オクタノール、３，７−ジメチル−、及びこれらの混合物から成る群から選択される放臭剤が挙げられるが、これらに限定されない。本出願の目的のため、放臭剤のかかるマーカッシュ群を放臭剤群１として指定する。
【００２０】
前記組成物が系Ｂを含む場合には、電子が豊富な放臭剤の、親水性の有機触媒、親水性の酸素移動剤、又はこれらの混合物、に対する割合は、約２０００：１〜約１：１、約８００：１〜約２：１、又はさらに約２５０：１〜約５：１であってもよい。前記組成物が系Ｂを含む場合は、前記電子が豊富な放臭剤は、０．４１以上、又は０．４３以上で約２未満、又はさらには０．４５以上で約２未満のＥＦＤ、及び０．５以上、又はさらには１以上のｌｏｇＰｏ／ｗ、２以上のＤＢＣ及び０．５以上、又はさらには１以上、又はこれらの組み合わせのｌｏｇＰｏ／ｗを有する少なくとも一つの二重結合、及び前記親水性の有機触媒及び親水性の酸素移動剤は、約０未満、又はさらには約−０．５未満のｌｏｇＰｏ／ｗを有してよい。好適な電子の豊富な放臭剤には、３，７−ジメチル−２，６−オクタジエンニトリル、３，７−ジメチル−６−オクテン−１−オル、テルピネオルアセテート、２−メチル−６−メチレン−７−オクテン−２−オル、ジヒドロ誘導体、３ａ、４，５，６，７、７ａ−ヘキサヒドロ−４，７−メタノ−１Ｈ−インデン−６−オルプロピオン酸、３−メチル−２−ブテン−１−オルアセテート、（Ｚ）−３−ヘキセン−１−オルアセテート、２−エチル−４−（２，２，３−トリメチル−３−シクロペンテン−１−イル）−２−ブテン−１−オル、４−（オクタヒドロー４，７−メタノー５Ｈ−インデンー５−イリデン）ブタナル；３−２，４−ジメチル−シクロヘキセン−１−カルボキシアルデヒド、１−（１，２，３，４，５，６，７，８−オクタヒドロ−２，３，８，８−テトラメチル−２−ナフタレニル）−エタノン、２−ヒドロキシ−安息香酸、メチルエステル、２−ヒドロキシ−安息香酸、ヘキシルエステル、２−フェノキシ−エタノール、２−ヒドロキシ−安息香酸、ペンチルエステル、２，３−ヘプタンジオン、２−ヘキセン−１−オル、６−オクテン−２−オル、２，６−ジメチル−、４，７−メトノー１Ｈ−インデン−６−オル、３ａ，４，５，６，７、７ａ−ヘキサヒドロ−、アセテート；９−ウンデセナル、８−ウンデセナル、イソシクロシトラール、エタノン、１−（１，２，３，５，６，７，８、８ａ−オクタヒドロ−２，３，８，８−テトラメチル−２−ナフタレニル）−、３−シクロヘキセン−１−カルボキサルデヒド、３，５−ジメチル−；３−シクロヘキセン−１−カルボキサルデヒド、２，４−ジメチル−、１，６−オクタジエン−３−オル、３，７−ジメチル−、１，６−オクタジエン−３−オル、３，７−ジメチル−、アセテート、シクロペンタノン、２−［２−（４−メチル−３−シクロヘキセン−１−イル）プロピル］−及び１−メチル−４−（１−メチルエテニル）シクロヘキセンから成る群から選択される放臭剤が挙げられるがこれらに限定されない。本出願の目的のため、放臭剤のかかるマーカッシュ群は放臭剤群２として指定する。
【００２１】
本発明の前記態様のいずれにおいても、前記組成物は、約０．０００２重量％〜約５重量％、又はさらには０．０００１重量％〜約１．５重量％の有機触媒、酸素移動剤、又はこれらの混合物を含んでよく、前記組成物が系Ｂを含むときは、少なくとも０．１、又はさらには少なくとも０．２重量％の界面活性剤を含んでよい。好適な界面活性剤には、これらに限定されないが、界面活性剤又は界面活性剤系が挙げられ、界面活性剤は、非イオン性界面活性剤、アニオン性界面活性剤、カチオン性界面活性剤、両性界面活性剤、双極性界面活性剤、及びこれらの混合物から選択可能である。
【００２２】
前記洗浄組成物のいずれの態様のいずれの残部も１以上の補助剤物質で構成されている。
【００２３】
系Ａ及び系Ｂのための好適な有機触媒には、イミニウムカチオン及びポリイオン、イミニウム双性イオン類、変性アミン類、変性アミンオキシド類、Ｎ−スルホニルイミン類、Ｎ−ホスホニルイミン類、Ｎ−アシルイミン類、チアジアゾール二酸化物類、ペルフルオロイミン類、環状糖ケトン類、及びこれらの混合物が含まれるがこれらに限定されない。ただし、系Ｂについては、かかる触媒が親水性の有機触媒である場合にのみ好適である。好適なイミニウムカチオン及びポリイオンには、Ｎ−メチルー３，４−ジヒドロイソキノィニウムテトラフルオロホウ酸塩、四面体（Tetrahedron）（１９９２）（４９（２）、４２３〜３８）の記載に従って調製（例えば、４３３頁の化合物４を参照のこと；Ｎ−メチルー３，４−ジヒドロイソキノリニウムｐ−トルエンスルホネート、米国特許第５，３６０，５６９号の記載に従って調製（例えば、実施例１のカラム１１を参照のこと）；及びＮ−オクチル−３，４−ジヒドロイソキノィニウムｐ−トルエンスルホネート、米国特許第５，３６０，５６８号の記載に従って調製（例えば、実施例３のカラム１０を参照のこと）、が挙げられるがこれらに限定されない。
【００２４】
好適なイミニウム双性イオン類には、Ｎ−（３−スルホプロピル）−３，４−ジヒドロイソキノィニウム、分子内塩、米国特許第５，５７６，２８２号の記載に従って調製（例えば、実施例ＩＩのカラム３１を参照のこと）、Ｎ−［２−（スルホオキシ）ドデシル］−３，４−ジヒドロイソキノィニウム、分子内塩、米国特許第５，８１７，６１４号の記載に従って調製（例えば、実施例Ｖのカラム３２を参照のこと）、２−［３−［（２−エチルへキシル）オキシ］−２−（スルホオキシ）プロピル］−３，４−ジヒドロイソキノリニウム、分子内塩、及び２−［３−［（２−ブチルオクチル）オキシ］−２−（スルホオキシ）プロピル］−３，４−ジヒドロイソキノリニウム、分子内塩、それぞれ共に本出願中の実施例１及び２の記載に従って調製、が挙げられるがこれらに限定されない。好適な変性アミン酸素移動触媒には、１，２，３，４−テトラヒドロ−２−メチル−１−イソキノリノル、四面体レター（Tetrahedron Letters）（１９８７）（２８（４８）、６０６１〜６０６４）に記載の工程に従って製造、が挙げられるがこれに限定されない。好適なヘンセイアミンオキシド酸素移動触媒には、ナトリム１−ヒドロキシ−Ｎ−［２−（サルホオキシ）デシル］−１，２，３，４−テトラヒドロイソキノリンが挙げられる。好適なＮ−スルホニルイミン酸素移動触媒類には３−メチル−ベンズイソチアゾール１，１−二酸化物、有機化学誌（Journal of Organic Chemistry）（１９９０）（５５（４）、１２５４−６１に記載の工程に従って調製、が挙げられるがこれに限定されない。好適なＮ−ホスホニルイミン酸素移動触媒には、［Ｒ−（Ｅ）］−Ｎ−［（２−クロロー５−ニトロフェニル）メチレン］−Ｐ−フェニル−Ｐ−（２，４，６−トリメチルフェニルアミド、化学会誌（Journal of the Chemical Society）（１９９４）（（２２）、２５６９〜７０）に記載の工程に従って製造可能、が挙げられるがこれに限定されない。好適なＮ−アシルイミン酸素移動触媒には［Ｎ（Ｅ）］−Ｎ−（フェニルメチレン）アセトアミド、ポーリッシュ・ジャーナル・オブ・ケミストリー（Polish Journal of Chemistry）（２００３）（７７（５）、５７７〜５９０）に記載の工程に従って
製造可能、が挙げられるがこれに限定されない。好適なチアジアゾール二酸化物酸素移動触媒には、３−メチル−４−フェニル−１，２，５−チアジアゾール１，１−二酸化物、米国特許第５，７５３，５９９号（カラム９、実施例２）に記載の工程に従って製造可能、が挙げられるがこれに限定されない。好適なペルフルオロイミン酸素移動触媒には、（Ｚ）−２，２，３，３，４，４，４−ヘブタフルオロ−Ｎ−（ノナフルオロブチル）ブタンイミドイルフッ化物、四面体レター（Tetrahedron Letters）（１９９４）（３５（３４）、６３２９−３０）、に記載の工程に従って製造可能、が挙げられるがこれに限定されない。好適な環状の糖ケトン酸素移動触媒には、１，２：４，５−ジ−Ｏ−イソプロピリデン−Ｄ−エリトロ−２，３−ヘキソジウロ−２，６−ピラノーズ、米国特許第６，６４９，０８５号（カラム１２、実施例１）に従って調製、が挙げられるがこれに限定されない。
【００２５】
活性酸素源には、予め形成された過酸類、過酸化水素供給源と漂白活性化剤の組み合わせ、又はこれらの混合物が挙げられるが、これらに限定されない。好適な過酸化水素の供給源には、過ホウ酸塩のナトリウム塩などのアルカリ金属を含む無機過水和物塩類（通常モノ−又は、四水和物）、過炭酸塩、過硫酸塩、パーホスフェート、パーシリケート、及びこれらの混合物が挙げられるが、これらに限定されない。無機過水和物塩（用いた場合）は、典型的には、全組成物の０．０５〜４０重量％、又は１〜３０重量％の量で存在し、典型的には、当該組成物中へ結晶固形物（コーティングされていてもよい）として組み込まれる。好適なコーティングとしては、無機塩類、例えばアルカリ金属ケイ酸塩、炭酸塩又はホウ酸塩、あるいはこれらの混合物、あるいは有機材料、例えば水溶性又は分散性ポリマー類、ワックス類、オイル類又は脂肪石鹸類が挙げられる。
【００２６】
好適な活性化剤類には、過加水分解性エステル類、イミド類、カーボネート類、カルバメート類、ニトリル類、カルボジイミド類等を挙げられるがこれらに限定されない。好適な活性化剤類の例には、これらに限定されないが、テトラアセチルエチレンジアミン（ＴＡＥＤ）、ベンゾイルカプロラクタム（ＢｚＣＬ）、４−ニトロベンゾイルカプロラクタム、３−クロロベンゾイルカプロラクタム、ベンゾイルオキシベンゼンスルホネート（ＢＯＢＳ）、ノナノイルオキシベンゼンスルホネート（ＮＯＢＳ）、安息香酸フェニル（ＰｈＢｚ）、デカノイルオキシベンゼンスルホネート（Ｃ１０−ＯＢＳ）、ベンゾイルバレロラクタム（ＢＺＶＬ）、オクタノイルオキシベンゼンスルホネート（Ｃ８−ＯＢＳ）、過加水分解可能なエステル類、過加水分解可能なイミド類及びこれらの混合物が挙げられる。
【００２７】
好適な予め形成された過酸類としては、過カルボン酸類及び塩類、過炭酸類及び塩類、ペルイミド酸類及び塩類、ペルオキシ一硫酸類及び塩類、例えば、オキシゾン（登録商標）類並びにこれらの混合物からなる群から選択される化合物が挙げられるが、これらに限定されない。好適な過カルボン酸類としては、化学式Ｒ−（Ｃ＝Ｏ）Ｏ−Ｏ−Ｍを有する疎水性及び親水性過酸類が挙げられる。［式中、Ｒはアルキル基であり、所望により分岐しており、前記過酸が疎水性の場合には、６〜１４個の炭素原子、又は８〜１２個の炭素原子を有し、前記過酸が親水性の場合には、６個未満の炭素原子、又はさらに４個未満の炭素原子を有し、Ｍは、対イオン（例えば、ナトリウム、カリウム又は水素）である。］好適な予め形成された過酸類の例には、１−３ジヒドロ−１，３−ジオキソ−２Ｈ−イソインドール−２−ヘキサンエペロキソイック（hexaneperoxoic）酸、ノナンエペロキソイック（nonaneperoxoic）酸、ドデカンエペロキソイック（dodecaneperoxoic）酸、６−（ノニルアミノ）−６−オキソ−ヘキサンペロキソイック（hexaneperoxoic）酸、及び６−［（１−オキソノニル）アミノ］−ヘキサンペロキソイック（hexaneperoxoic）酸が挙げられるが、これらに限定されない。
【００２８】
過酸及び／又は漂白活性化剤（存在する場合）は、一般に、組成物を基準にして、約０．１〜約６０重量％、約０．５〜約４０重量％又はさらに約０．６〜約１０重量％の量で、組成物中に存在する。１つ以上の疎水性過酸類又はその前駆体は、１つ以上の親水性過酸又はその前駆体と組合せて使用してよい。
【００２９】
過酸化水素供給源及び過酸又は漂白活性化剤の量は、有効酸素（過酸化物供給源より供給される）対漂白活性化剤のモル比が、１：１〜３５：１、又はさらに２：１〜１０：１となるように選択してよい。
【００３０】
好適な酸素移動剤には、オキサジリジニウム（oxaziridinium cations）カチオン類及びポリイオン類、オキサジリジニウム双性イオン類、Ｎ−スルホニルオキサジリジニウム、Ｎ−ホスホニルオキサジリジニウム、Ｎ−アシルオキサジリジニウム、チアジアゾール二酸化物、パーフルオロキサジリジニウム、環状糖誘導ジオキシラン、及びこれらの混合物が挙げられるが、これらに限定されない。かかる酸素移動剤は、本明細書に記載の有機触媒を、本明細書に記載の活性酸素源と混合することにより調製可能である。
【００３１】
放臭剤供給方法
上記の放臭剤のいずれも、その他の物質と混合して次のいずれかを製造することができる、スターチカプセル化したデリバリーシステム、多孔質担体物質デリバリーシステム、被覆された多孔質担体デリバリーシステム、マイクロカプセル化したデリバリーシステム。上記デリバリーシステムの好適な製造方法は１以上の次の米国特許に見い出すことができる、第６，４５８，７５４号、第５，６５６，５８４号、第６，１７２，０３７号、第５，９５５，４１９号、及び第５，６９１，３８３、及び国際公開特許ＷＯ第９４／２８０１７号、国際公開特許ＷＯ第９８／４１６０７号、国際公開特許ＷＯ第９８／５２５２７号。かかるデリバリーシステムは、消費者製品において、単独で、互いに組み合わせて、又は適切にスプレーされた又は混合された放臭剤と組み合わせて使用することができる。例えば、電子の豊富な放臭剤は、疎水性の有機触媒、及び活性酸素源、疎水性の酸素移動剤、又はこれらの混合物の供給源、を含む組成物中で使用することが可能であり、かかる放臭剤は、上記の１以上のデリバリー方法によって望ましくない酸化から保護することができる。一態様において、かかる保護された電子の豊富な放臭剤は、０．４１以上のＥＦＤ、２以上のＤＢＣを有する少なくとも一つの二重結合、又はそれらの組み合わせを有してよい。
【００３２】
補助剤物質
本発明の目的には必須でないが、以下に例示される補助剤の非限定的なリストは、本組成物において使用するのに適しており、例えば、クリーニング性能を補助若しくは向上させるために、洗浄される基材の処理のために、又は着色剤、染料などを用いる場合と同様に洗浄組成物の審美性を変化させるために、望ましくは本発明の特定の実施形態に組み込まれてよい。このような追加的成分の明確な性質、及びそれを組み込む濃度は、組成物の物理的形態及び使用されるべき洗浄作業の性質による。好適な補助剤材料としては、非必須界面活性剤、ビルダー、キレート剤、移染防止剤、分散剤、酵素及び酵素安定剤、触媒作用性物質、漂白活性化剤、過酸化水素、過酸化水素供給源、予備形成過酸類、ポリマー分散剤、粘土汚れ除去／再付着防止剤、増白剤、起泡抑制剤、染料、香料、構造伸縮性付与剤、柔軟仕上げ剤、キャリア、向水性物質、加工助剤、充填剤、溶媒、及び／又は顔料が挙げられるが、これらに限定されない。下記の開示に加え、このようなその他の補助剤の適した例及び使用濃度は、米国特許第５，５７６，２８２号、米国特許第６，３０６，８１２Ｂ１号及び米国特許第６，３２６，３４８Ｂ１号に見出され、これらを本明細書に参考として組み込んでいる。
【００３３】
上述の如く、前記補助成分は、本出願人らの組成物には必須ではない。従って、本出願人らの組成物の特定の実施形態は、次の補助剤物質の１つ以上を含有しない：非必須界面活性剤、ビルダー、キレート剤、移染防止剤、分散剤、酵素、及び酵素安定剤、触媒物質、漂白活性化剤、過酸化水素、過酸化水素源、予備形成過酸類、ポリマー分散剤、粘土汚れ除去／再付着防止剤、増白剤、起泡抑制剤、染料、香料、構造弾性化剤、柔軟仕上げ剤、キャリア、向水性物質、加工助剤、溶媒及び／又は顔料。しかしながら、１つ以上の補助剤が存在する場合、当該１以上の補助剤は、以下に詳細に記載されるように存在することが可能である。
【００３４】
漂白剤−本発明の洗浄組成物は、１つ以上の漂白剤を含んでよい。有機触媒、活性酸素源、及び酸素移動剤以外の好適な漂白剤には光漂白剤、例えば、スルホン酸化亜鉛フタロシアニンが挙げられるが、これに限定されない。
【００３５】
界面活性剤−本発明による洗浄組成物は、界面活性剤又は界面活性剤系を含んでよく、界面活性剤は、非イオン性界面活性剤、アニオン性界面活性剤、カチオン性界面活性剤、両性界面活性剤、双極性界面活性剤、半極性非イオン性界面活性剤及びこれらの混合物から選択されることができる。界面活性剤（存在する場合）は、典型的には、標記組成物の約０．１重量％〜約６０重量％、約１重量％〜約５０重量％又はさらに約５重量％〜約４０重量％の濃度で存在する。
【００３６】
ビルダー類−本発明の洗剤組成物は、１つ以上の洗剤ビルダー又はビルダー系を含んでよい。ビルダーを使用する場合、標記組成物は、典型的には、標記組成物の少なくとも約１重量％、約５重量％〜約６０重量％、又はさらに約１０重量％〜約４０重量％のビルダーを含む。
【００３７】
ビルダー類には、ポリホスフェートのアルカリ金属塩、アンモニウム塩及びアルカノールアンモニウム塩、アルカリ金属ケイ酸塩、アルカリ土類及びアルカリ金属の炭酸塩、アルミノケイ酸塩ビルダー、及びポリカルボキシレート化合物、エーテルヒドロキシポリカルボキシレート、無水マレイン酸とエチレン又はビニルメチルエーテルとのコポリマー、１，３，５−トリヒドロキシベンゼン−２，４，６−トリスルホン酸及びカルボキシメチルオキシコハク酸、エチレンジアミン四酢酸及びニトリロ三酢酸のようなポリ酢酸の様々なアルカリ金属塩、アンモニウム塩及び置換アンモニウム塩、並びに、例えばメリト酸、コハク酸、クエン酸、オキシジコハク酸、ポリマレイン酸、ベンゼン１，３，５−トリカルボン酸、カルボキシメチルオキシコハク酸などのポリカルボキシレート、並びにこれらの可溶性塩が挙げられるが、これらに限定されない。
【００３８】
キレート剤−本明細書の洗浄組成物は、キレート剤を含有してよい。好適なキレート剤としては、銅、鉄及び／又はマンガンキレート剤及びこれらの混合物が挙げられる。キレート剤を使用する場合、標記組成物は、標記組成物の約０．００５重量％〜約１５重量％、又はさらに約３．０重量％〜約１０重量％のキレート剤を含んでよい。
【００３９】
染料移行防止剤−本発明の洗浄組成物はまた、１つ以上の染料移行抑制剤を含んでもよい。好適な高分子染料移行防止剤には、ポリビニルピロリドンポリマー類、ポリアミンＮ−オキシドポリマー類、Ｎ−ビニルピロリドン及びＮ−ビニルイミダゾールのコポリマー類、ポリビニルオキサゾリドン類及びポリビニルイミダゾール類、又はこれらの混合物が挙げられるが、これらに限定されない。標記組成物中に存在する場合、染料移行防止剤は、組成物の約０．０００１重量％〜約１０重量％、約０．０１重量％〜約５重量％、又はさらに約０．１重量％〜約３重量％の濃度で存在してよい。
【００４０】
増白剤−本発明の洗浄組成物は、洗浄される物品に色合いを付けることもできる追加成分（蛍光光沢剤など）を含有することもできる。好適な蛍光増白剤濃度としては、約０．０１重量％、約０．０５重量％、約０．１重量％、さらには約０．２重量％の低い濃度から、０．５重量％又はさらに０．７５重量％の高い濃度までが挙げられる。
【００４１】
分散剤−本発明の組成物はまた、分散剤を含むことができる。好適な水溶性有機物質類としては、ホモポリマー又はコポリマーの酸類又はそれらの塩類が挙げられ、それらのうちのポリカルボン酸は、互いに炭素原子２個を超えない程度に離れている少なくとも２個のカルボキシルラジカルを含む。
【００４２】
酵素類−洗浄組成物は、クリーニング性能及び／又は布地ケア効果を提供する１以上の酵素を含むことができる。好適な酵素の例としては、ヘミセルラーゼ類、ペルオキシダーゼ類、プロテアーゼ類、セルラーゼ類、キシラナーゼ類、リパーゼ類、ホスホリパーゼ類、エステラーゼ類、クチナーゼ類、ペクチナーゼ類、マンナナーゼ類、ペクテートリアーゼ類、ケラチナーゼ類、レダクターゼ類、オキシダーゼ類、フェノールオキシダーゼ類、リポキシゲナーゼ類、リグニナーゼ類、プルラナーゼ類、タンナーゼ類、ペントサナーゼ類、マラナーゼ類、β−グルカナーゼ類、アラビノシダーゼ類、ヒアルロニダーゼ、コンドロイチナーゼ、ラッカーゼ及びアミラーゼ類、又はこれらの混合物が挙げられるが、これらに限定されない。典型的な組合せは、例えば、プロテアーゼ及びリパーゼをアミラーゼとともに含んでよい酵素反応混液である。洗浄組成物中に存在する場合、上述した酵素類は、組成物の約０．００００１重量％〜約２重量％、約０．０００１重量％〜約１重量％、又はさらに約０．００１重量％〜約０．５重量％の濃度の酵素タンパク質で存在してよい。
【００４３】
酵素安定剤−種々の技法によって、洗剤に使用する酵素類を安定化させることができる。本明細書に用いられる酵素類は、カルシウムイオン及び／又はマグネシウムイオンを酵素に供給する、最終組成物中のカルシウム及び／又はマグネシウムイオンの水溶性供給源の存在によって安定化させることができる。プロテアーゼを含む水性組成物の場合、さらに安定性を改善するために、可逆性蛋白質分解酵素抑制剤（ホウ素化合物など）を添加することができる。
【００４４】
触媒金属錯体−本出願人らの洗浄組成物は、触媒金属錯体を含むことができる。金属含有漂白触媒の１つの種類は、銅、鉄、チタン、ルテニウム、タングステン、モリブデン、又はマンガンの陽イオンのような、限定された漂白触媒活性の遷移金属陽イオン、亜鉛又はアルミニウムの陽イオンのような、漂白触媒活性をほとんど又は全くもたない補助金属陽イオン、並びに触媒金属及び補助金属の陽イオンに対して限定された安定度定数を有する金属イオン封鎖剤、特にエチレンジアミン四酢酸、エチレンジアミンテトラ（メチレンホスホン酸）及びそれらの水溶性の塩類を含む触媒系である。このような触媒は、米国特許第４，４３０，２４３号に開示される。
【００４５】
所望する場合、本明細書の組成物はマンガン化合物を用いて触媒作用され得る。このような化合物及び使用濃度は当該技術分野で周知であり、例えば、米国特許第５，５７６，２８２号に開示されるマンガン系触媒が挙げられる。
【００４６】
本明細書で有用なコバルト漂白剤触媒は、米国特許第５，５９７，９３６号、米国特許第５，５９５，９６７号で知られ、説明されている。そのようなコバルト触媒は、例えば米国特許第５，５９７，９３６号及び米国特許第５，５９５，９６７号などの既知の手順によって容易に準備できる。
【００４７】
ここでの組成物は、ｂｉｓｐｉｄｏｎｅｓ（ＷＯ  ０５／０４２５３２  Ａ１）及び／又は「ＭＲＬｓ」などと略されるマクロポリ環状硬質配位子等の配位子の遷移金属錯体を適切に含む場合がある。実際的な事項として、しかも限定のためでなく、ここでの組成物と方法は、水溶性の洗浄媒質内にある少なくともおよそ１憶分の一の活性ＭＲＬ族を提供するよう、しかも典型的には約０．００５ｐｐｍから約２５ｐｐｍ、約０．０５ｐｐｍから約１０ｐｍ、さらには約０．１ｐｐｍから約５ｐｐｍのＭＲＬが洗浄溶液中にあるよう調整することができる。
【００４８】
本遷移金属漂白触媒における好適な遷移金属としては、例えばマンガン、鉄及びクロムが挙げられる。好適なＭＲＬとしては、５，１２−ジエチル−１，５，８，１２−テトラアザビシクロ［６．６．２］ヘキサデカンが挙げられる。
【００４９】
好適な遷移金属ＭＲＬは、既知の手順、例えば、ＰＣＴ国際公開特許ＷＯ００／３２６０１、及び米国特許第６，２２５，４６４号にて教示される手順によって容易に調製される。
【００５０】
溶媒−好適な溶媒としては、水及び他の溶媒（例えば、親油性流体）が挙げられる。好適な親油性流体の例としては、シロキサン類、その他のシリコーン類、炭化水素類、グリコールエーテル類、例えばグリセリンエーテル類などのグリセリン誘導体類、ペルフルオロ化アミン類、ペルフルオロ化及びハイドロフルオロエーテル溶媒類、低揮発性の非フッ素化有機溶媒類、ジオール溶媒類、環境に優しいその他の溶媒類、並びにこれらの混合物が挙げられる。
【００５１】
洗浄及び／又は処理用組成物の製造方法
本発明の洗浄組成物は、任意の適切な形態に配合でき、配合者によって選択される任意の方法によって調製され、方法の非限定例は、本出願人らの実施例、並びに米国特許第５，８７９，５８４号、米国特許第５，６９１，２９７号、米国特許第５，５７４，００５号、米国特許第５，５６９，６４５号、米国特許第５，５６５，４２２号、米国特許第５，５１６，４４８号、米国特許第５，４８９，３９２号、及び米国特許第５，４８６，３０３号（これらすべては本明細書に参考として組み入れる）に記載される。
【００５２】
使用方法
本発明は、ある場所（situs）、とりわけ表面又は布地を洗浄するための方法を含む。これらの方法は、本出願人の洗浄組成物の実施形態を、希釈していない形態で、又は洗浄溶液中で希釈して、表面又は布地の少なくとも一部分に接触させ、次いで、所望により、表面又は布地をすすぐ工程を含む。表面又は布地は前記すすぎ工程の前に洗浄工程を経てもよい。本発明の目的上、洗浄することは、擦ること及び機械的攪拌を含むが、これらに限定されない。当業者に理解されるように、本発明の洗浄組成物は理想的には洗濯用途に用いるのに適している。それ故に、本発明は布地を洗濯するための方法を含む。この方法は、洗濯されるべき布地を本出願の洗浄組成物の少なくとも１つの実施形態、洗浄添加物、又はこれらの混合物を含む前記洗浄洗濯溶液と接触させる工程を含む。布地は、通常の消費者の使用条件で洗濯され得るほとんどいかなる布地をも含んでよい。この溶液は、好ましくは約８から１０．５のｐＨをもつ。この組成物は、溶液中の濃度が約５００ｐｐｍから約１５，０００ｐｐｍで用いられる場合がある。水温は、典型的には約５℃〜約９０℃の範囲である。水対布地の比率は、典型的には約１：１〜約３０：１である。
【００５３】
試験方法
１．）求電子境界密度（Electrophilic Frontier Density）：求電子境界密度は、任意の所与の芳香剤について密度汎関数法（DGauss）を用いて最適化することにより決定される。密度汎関数法は、富士通米国社（Fujitsu America, Inc.）（米国カリフォルニア州（1250 E. Arques Avenue Sunnyvale, California USA 94085-5401））から供給されるキャッシュ・ワークシステム・プロ（CAChe Worksystem Pro）のバージョン６．１の分子密度関数プログラムであり、原子の電子物性及び構造特性の密度汎関数理論（density functional theory）（ＤＦＴ）を使用している。かかる最適化は、ＤＺＶＰ基底関数を用いるＢ８８−ＰＷ９１ＧＧＡエネルギー汎関数を用いて行なう。本発明の目的のため、最も高い求電子境界密度（Electrophilic Frontier Density）を有する芳香剤の炭素原子は芳香剤のＥＦＤである。
【００５４】
２．）二重結合総数（double bond count）：炭素−炭素二重結合の二重結合総数（ＤＢＣ）を次の式に従って計算した。
ＤＢＣｉ＝×−ｙ＋２ｚ
ここで、１個目の炭素−炭素二重結合のために
ａ．）ｘは、他の炭素原子との二重結合を含む炭素原子からの直接結合の数（二重結合を形成しているものを除く）
ｂ．）ｙは、それ自身が別の原子に多数重なって結合した炭素原子への二重結合を含む炭素原子からの直接結合の数（例えば、カルボニル炭素、チオカルボニル炭素、又は二トリル炭素などのＣ、Ｏ、Ｓ、又はＮ）、及び
ｃ．）Ｏ、Ｓ、又はＮとの二重結合を含む炭素原子からの直接結合の数。
【００５５】
ＤＢＣを決定する目的で、各芳香環を二重結合であると考え、そのＤＢＣをそれに従って計算する。
【００５６】
２以上のＤＢＣを有する化合物の中に二重結合がない場合は、化合物は、電子が不足しているもののみであると考える。化合物が２以上のＤＢＣを有する少なくとも一つの二重結合を有する場合は、その化合物は電子が豊富であると考える。
【００５７】
具体例：
【化１】
2009516045.tif 000002
の構造に関して、
【表１】
2009516045.tif 000003
【００５８】
放臭剤ＤＢＳの例：３，７−ジメチル−６−オクテン−１−オル、ＤＢＣ＝３（電子が豊富であると分類）、１−メチル−４−（１−メチルエテニル−シクロヘキセン（分子中に２つの二重結合、第１ＤＢＣ＝３、第２二ＤＢＣ＝２、従って電子が豊富であると分類）、１０−ウンデセナール、ＤＢＣ＝１（電子不足と分類）、２−ヒドロキシ安息香酸、ペンチルエステル、ＤＢＣ＝２（電子が豊富であると分類）、及び４−フェニル−２−ブタノン、ＤＢＣ＝１（電子不足と分類）。
【００５９】
３．）ＬｏｇＰｏ／ｗは、環境毒性と環境保護（Ecotoxicology and Environmental Safety）（１９８６）（Brooke DN、Dobbs AJ、及びWilliams N著）の１１（３）：２５１〜２６０に見い出される方法に従って決定した。
【実施例】
【００６０】
指示がない限り、材料はアルドリッチ（Aldrich）（米国ウイスコンシン州（P.O. Box 2060, Milwaukee, WI 53201, USA.））から入手可能である。実施例１及び２において、溶媒アセトニトリルは、１，２−ジクロロエタンを含む、ただしそれに限らないその他の溶媒類に交換可能である。芳香剤物質は次の供給元の１以上から得ることができる。アルゲビル・カンチェフ社（Argeville Kantcheff GmbH）（ドイツ、ヴィースバーデン（Wiesbaden, Germany））、カプラ社（CAPUA s.r.l.）（イタリア、カンポ・カーラブロ（Campo Calabro）８９０５２）、シャラボ社（Charabot）（フランス、グラース（Grasse））、ドロム・インターナショナル社（Drom International Inc.）（米国、イリノイ州（Illinois））、ルレグランス・リソース社（Fragrance Resources, Inc）（米国ニュージャージー州キーポート（Keyport, New Jersey））、フィルメニッヒ社（Firmenich S.A.）（スイス、ジュネーブ（Geneva））、ジボダン・フランス社（Givaudan France S.A.）（フランス、セデックス（Cede））、インターナショナル・フレーバーズ・アンド・フレグランスイズ社（International Flavors & Fragrances IFF（米国、ニュージャージー州（New Jersey））、ヴェ・マン・フィス社（V. Mane Fils S.A.）（フランス、バール・シュル・ルー（Le Bar-sur-Loup））、ミレニアム社（Millennium）、（米国、フロリダ州ジャクソンビル（Jacksonville, Florida））、ノヴィル社（Noville）（米国、ニュージャージー州サウスハッケンサック（South Hackensack, New Jersey））、ＰＦＷアロマ・ケミカル社（PFW Aroma Chemicals B.V.）（オランダ、ＡＫバーナベルト（AK Barneveld））、クエスト・インターナショナル社（Quest International）（オランダ、ナールデンブッサムー（Naarden-Bussum））、曽田香料（株（日本、東京）、シナローム社（Synarome）（フランス、ボア・コロンブ（Bois Colombes））、タカサゴ・インターナショナル社（Takasago Int.Corp.）（米国、ニュージャージー州ロックレイ（Rockleigh, New Jersey））。
【００６１】
（実施例１）：硫酸モノ−［２−（３、４−ヒドロ−イソキノリン−２−ｙｌ）−１−（２−プエチルヘキシルオキシメチル）−エチル］エステル、分子内塩の調製
２−エチルヘキシルグルシジルエーテルの調製：エピクロロヒドリン（１５．６２ｇ、０．１７モル）を充満させた添加漏斗付き、火炎乾燥、５００ｍＬ丸底フラスコに、２−エチルヘキサノール（１６．５ｇ、０．１２７モル）及び塩化第二スズ（０．２０ｇ、０．００１モル）を加える。反応をアルゴンを大気下に保ち、油浴を使用して９０℃に加温する。エピクロロヒドリンを６０分かけて攪拌溶液に滴下した後、９０℃で１８時間攪拌する。反応物を真空蒸留ヘッドに取り付け、１−クロロ−３−（２−エチル−ヘキシルオキシ）−プロパン−２−オールを２６．７Ｐａ（０．２ｍｍＨｇ）で蒸留する。１−クロロ−３（２−エチル−ヘプチルオキシ）−プロパン−２−オル（４．４６ｇ、０．０２０モル）をテトラヒドロフラン（５０ｍＬ）に溶解し、アルゴン大気下の室温で攪拌する。前記攪拌中の溶液に、カリウムｔ−ブトキシド（２．５２ｇ、０．０２２ｍｏｌ）を添加し、当該懸濁液を室温で１８時間攪拌する。次に、反応物を蒸発乾固し、残留物をヘキサン類に溶解し、水（１００ｍＬ）で洗う。ヘキサン類の相を分離し、Ｎａ２ＳＯ４で乾燥し、濾過及び蒸発乾固し、粗製２−プロピルへプチルグリシダールエーテルを得る、これは真空蒸留によってさらに精製できる。
【００６２】
硫酸モノ−［２−（３，４−ジヒドロ−イソキノリン−２−ｙｌ）−１−（２−エチルヘキシルオキシメチル）−エチル］エステル、分子内塩の調製：凝縮器をつけた火力乾燥した２５０ｍＬの三つ口丸底フラスコに、乾燥アルゴンを入れ、電磁攪拌棒、温度計、加熱浴を追加し、３、４−ジヒドロイソキノリン（０．４０ｍｏｌ、米国特許第５，５７６，２８２号の実施例１で記述されたように準備された）、２−エチルヘキシルグリシジルエーテル（上記と同様に準備された０．３８ｍｏｌ）、ＳＯ３−ＤＭＦ錯体（０．３８ｍｏｌ）、アセトニトリル（５００ｍＬ）。反応物を８０℃に加熱してその温度で７２時間攪拌する。反応は室温まで冷却され、蒸発で乾燥され、残基はエチルアセテート及び／又はエタノールから再結晶化され、所望の製品が製造される。
【００６３】
（実施例２）：硫酸モノ−［２−（３，４−ジヒドロ−イソキノリン−２−イル）−１−（２−ブチル−オクチルオキシメチル）−エチル］エステル、分子内塩の調製
所望の製品は、実施例１に従い、２−プロピルヘプタノールを２−エチルヘキサノールに代えて調製される。
【００６４】
（実施例３）
顆粒洗濯洗剤の形態を有する漂白洗剤組成物は、以下の配合によって例示される。
【表２】
2009516045.tif 000004
＊  本発明による放臭剤。
【００６５】
上記組成物はいずれも、２５℃の水中において濃度３５００ｐｐｍで、水と布の比が２５：１の状態で使用された。典型的なｐＨは約１０であるが、アルキルベンゼンスルホン酸塩の形態のＮａ−塩と酸の比率を変えることによって調整することができる。
【００６６】
（実施例４）
顆粒洗濯洗剤の形態を有する漂白洗剤組成物は、以下の配合によって例示される。
【表３】
2009516045.tif 000005
＊  本発明よる方放臭剤。
【００６７】
上記組成物はいずれも、２０〜９０℃の水に１０，０００ｐｐｍの濃度で、水と布の比率が５：１の状態で布地を洗濯するために使用される。典型的なｐＨは約１０であるが、アルキルベンゼンスルホン酸塩の形態のＮａ−塩と酸の比率を変えることによって調整することができる。
【００６８】
（実施例５）
顆粒洗濯洗剤の形態を有する漂白洗剤組成物は、以下の配合によって例示される。
【表４】
2009516045.tif 000006
＊  トルエンスルホン酸ナトリウムなどのその他の向水性物質も使用される場合がある。
＊＊  ウルトラマリン青又はアゾ−ＣＭ−セルロースなど（メガザイム（Megazyme）アイルランド（Bray, Co. Wicklow, Ireland））
＊＊＊  本発明による放臭剤。
＊＊＊＊  国際公開特許番号ＷＯ００／０２９９１、米国特許第６，４１３，９２０Ｂ１号、米国特許第６，５６６，３１２Ｂ２号、及び／又は米国特許第６，７９０，８１５Ｂ１号に従って調製。
【００６９】
上記組成物の全てが、水中の濃度５００〜１５００ｐｐｍ、５〜２５℃、水：布比１５：１〜２５：１で布地を洗濯するために使用される。典型的なｐＨは、約９．５〜１０であるが、アルキルベンゼンスルホン酸塩の酸とＮａ塩形態の比率を変えることにより調節できる。
【００７０】
本発明の特定の実施形態を説明及び記述してきたが、本発明の精神及び範囲から逸脱することなく他の様々な変更及び修正を行えることが当業者には明白であろう。従って、本発明の範囲内にあるそのような全ての変更及び修正を、添付の特許請求の範囲で扱うものとする。
【国際調査報告】
2009516045.tif 000007
2009516045.tif 000008
2009516045.tif 000009